(57)【要約】【課題】  原稿流し読み方法の自動原稿送り装置を有する複写装置において、自動原稿送り装置により搬送可能な原稿の分割コピーを可能にする複写装置および複写方法を提供する。【解決手段】  読取ユニット５０は、原稿画像を読み取り画像データを得て、画像メモリに読み取った画像データを蓄積する。画像メモリに蓄積された画像データは分割して出力され、分割された画像データに基づいて画像形成を行なう。【選択図】  図１
2006086600.tif 000002
【特許請求の範囲】
【請求項１】
原稿流し読み方法の自動原稿送り装置を有する複写装置において
原稿画像を読み取って画像データを得る画像読取手段と、
前記画像データを蓄積する画像メモリと、を備え、
前記画像メモリに蓄積された画像データを分割する分割手段と、
前記分割手段により分割された画像データに基づいて画像形成を行なう画像形成手段と、
を備えることを特徴とする複写装置。
【請求項２】
見開き原稿画像の原稿セット方向を特定する原稿セット方向指示手段を備えることを特徴とする請求項１記載の複写装置。
【請求項３】
原稿流し読み方法の自動原稿送り装置を有する複写装置が、
画像読取手段によって、原稿画像を読み取って画像データを得て、前記画像データを画像メモリに蓄積するステップと、
分割手段によって、前記画像メモリに蓄積された画像データを分割するステップと、
画像形成手段によって、前記分割手段により分割された画像データに基づいて画像形成を行なうステップと、
を有することを特徴とする複写方法。
【請求項４】
前記画像メモリに蓄積された画像データを読み取った際に特定される、見開き原稿画像の原稿セット方向に基づいて、前記画像メモリに蓄積された画像データを分割して出力することによって、画像形成を行なうことを特徴とする請求項３記載の複写方法。
【発明の詳細な説明】
【技術分野】
【０００１】
本発明は、自動原稿送り装置を有する複写装置および複写方法に関する。
【背景技術】
【０００２】
従来、電子複写機あるいはデジタル複写機においては、スキャナ部における画像読取り用の光電変換素子として、電荷結合素子（ＣＣＤ）が用いられている。また、原稿載置台に置かれた原稿を、１枚ずつ読み取るために読取装置に自動で送り出す、自動原稿送り装置がある。
【０００３】
この自動原稿送り装置を利用して原稿を読み取る場合の方法としては、コンタクトガラス上に原稿を送り、そこに載置された原稿画像をスキャナの移動によって読み取る原稿固定読み方法と、自動原稿送り装置により原稿搬送中に原稿画像を読み取る原稿流し読み方法がある。
【０００４】
原稿流し読み方法による読み取り方法は、原稿固定読み方法に比べて、原稿間のスキャナ移動時間がないため、原稿束全体の読み取り時間を短縮することが可能となるのみならず、自動原稿送り装置を小型化することも可能であるため、広く採用されている。
【０００５】
複写装置の主機能として、書籍等の見開き原稿を左右のページに分割して読み取り、２枚の用紙にコピーする見開き原稿分割片面機能、あるいは、１枚の用紙の両面にコピーする見開き原稿分割両面機能がある。これらの見開き原稿分割片面機能、原稿分割両面機能を総称して見開き原稿分割機能という。
【０００６】
この見開き原稿分割機能は、コンタクトガラス上に置かれた原稿を、２回の読取り動作により２枚の用紙に原稿像をコピーすることによって実現される。
【０００７】
即ち、１回目の読取り動作で、原稿左半分を読取り、２回目の読取り動作で、原稿右半分を読取る動作を実行する。
【０００８】
ここで、見開き原稿の左右のページを同一の記録媒体の表と裏に複写したり、見開き原稿の左右のページを集約して１枚の記録媒体の片面に複写する際に、その作業を正確に行なうことができる複写装置を、見開き原稿の左右のページの画像を同一の記録媒体の表裏両面にそれぞれ複写する第一の複写モードと、見開き原稿の左右のページの画像を集約して記録媒体の片面に形成する第二の複写モードとを選択する複写モード選択キーを設けて、そのいずれのモードが選択されても、見開き原稿サイズ分のすべての画像情報を一度に読み取って記憶手段に書き込むことにより実現する技術が提案されている（例えば、特許文献１参照）。
【特許文献１】特開平６−３７９８９号公報
【発明の開示】
【発明が解決しようとする課題】
【０００９】
しかしながら、上述した従来例においては次のような問題点があった。
【００１０】
見開き原稿分割機能を、２回の読取り動作により実現していたため原稿流し読み方法の自動原稿送り装置を有する複写装置においては、その機能をコンタクトガラス上の原稿に限って可能にし、自動原稿送り装置からの原稿読取との組合せを禁止していた。そのため、自動原稿送り装置により搬送可能な原稿であっても、コンタクトガラス上に１枚ずつセットする必要があり、このような原稿の分割コピーは非常に不便であるという問題点があった。
【００１１】
そこで、本発明は、原稿流し読み方法の自動原稿送り装置を有する複写装置において、自動原稿送り装置により搬送可能な原稿の分割コピーを可能にする複写装置および複写方法を提供することを目的とする。
【課題を解決するための手段】
【００１２】
請求項１記載の発明は、原稿流し読み方法の自動原稿送り装置を有する複写装置において原稿画像を読み取って画像データを得る画像読取手段と、画像データを蓄積する画像メモリと、を備え、画像メモリに蓄積された画像データを分割する分割手段と、分割手段により分割された画像データに基づいて画像形成を行なう画像形成手段と、を備えることを特徴とする複写装置である。
【００１３】
請求項２記載の発明は、請求項１記載の複写装置において、見開き原稿画像の原稿セット方向を特定する原稿セット方向指示手段を備える。
【００１４】
請求項３記載の発明は、原稿流し読み方法の自動原稿送り装置を有する複写装置が、画像読取手段によって、原稿画像を読み取って画像データを得て、画像データを画像メモリに蓄積するステップと、分割手段によって、画像メモリに蓄積された画像データを分割するステップと、画像形成手段によって、分割手段により分割された画像データに基づいて画像形成を行なうステップと、を有することを特徴とする複写方法である。
【００１５】
請求項４記載の発明は、請求項３記載の複写方法において、画像メモリに蓄積された画像データを読み取った際に特定される、見開き原稿画像の原稿セット方向に基づいて、画像メモリに蓄積された画像データを分割して出力することによって、画像形成を行なう。
【発明の効果】
【００１６】
本発明によれば、原稿流し読み方法の自動原稿送り装置を有する複写装置において、見開き原稿分割機能を実現することができる。
【発明を実施するための最良の形態】
【００１７】
以下、本発明の一実施の形態について図面を参照して説明する。
【００１８】
＜複写装置の全体構成＞まず、図１を参照して本実施の形態における複写装置の構成および動作を説明する。
【００１９】
自動原稿送り装置（以下、「シートＤＦ」という。）２００にある原稿台上に、原稿の画像面を上にして置かれた原稿束は、操作部上のスタートキーが押下されると、読取ユニット５０に送られ、原稿画像として電気的に読み込まれる。
【００２０】
読取ユニット５０によって読み取られた原稿は、そのままシートＤＦ２００によって原稿排出トレイに排出される。この原稿動作の詳細は後述する。
【００２１】
次に、印刷動作であるが、第１トレイ８、第２トレイ９、第３トレイ１０に積載された転写紙は、各々、第１給紙ユニット１１、第２給紙ユニット１２、第３給紙ユニット１３によって給紙され、縦搬送ユニット１４によって感光体１５に当接する位置まで搬送される。
【００２２】
読取ユニット５０にて読み込まれた画像データは、書込ユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２３】
後処理装置のフィニシャ１００は、本体の排紙ローラによって搬送された転写紙を、通常排紙ローラ１０２方向と、ステープル処理部方向に導く事ができる。切替板１０１を上に切り替えることにより、搬送ローラ１０３を経由して通常排紙トレイ１０４側に排紙することができる。また、切替板１０１を下方向に切り替えることで、搬送ローラ１０５および排紙ローラ１０７を経由して、ステープル台１０８に搬送することができる。ステープル台１０８に積載された転写紙は、一枚排紙される毎に紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２４】
一方、通常排紙トレイ１０４は前後に移動可能な排紙トレイである。前後に移動可能な通常排紙トレイ１０４は、原稿毎、あるいは、画像メモリによってソーティングされたコピー部毎に、前後に移動し、簡易的に排出されてくるコピー紙を仕分けるものである。
【００２５】
転写紙の両面に画像を作像する場合は、各給紙トレイ８〜１０から給紙され作像された転写紙を通常排紙トレイ１０４側に導くのではなく、経路切り替えの為の分岐爪１１２を上側にセットすることで、一旦、両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、通常排紙トレイ１０４に導く。この様に転写紙の両面に画像を作成する場合に両面給紙ユニット１１１は使用される。
【００２６】
感光体１５、搬送ベルト１６、定着ユニット１７、排紙ユニット１８および現像ユニット２７は、メインモータによって駆動され、各給紙ユニット１１〜１３は、メインモータの駆動を各々給紙クラッチによって伝達駆動される。縦搬送ユニット１４は、メインモータの駆動を中間クラッチによって伝達駆動される。
【００２７】
次に、画像読取部および画像を記録面上に潜像形成するまでの動作の詳細を説明する。
【００２８】
読取ユニット５０は、原稿を載置するコンタクトガラス６と光学走査系で構成されており、光学走査系は、露光ランプ５１、第１ミラー５２、レンズ５３、ＣＣＤセンサ５４等で構成されている。露光ランプ５１および第１ミラー５２は図示しない第１キャリッジ上に固定され、第２ミラー５５および第３ミラー５６は図示しない第１キャリッジ上に固定されている。
【００２９】
原稿の読取には原稿をコンタクトガラス上において、光学走査系を移動させて読み取る方法と、光学走査系は読取位置に固定して、原稿を移動して読み取る方法の２通りがある。光学走査系の移動で原稿像を読み取るときには、光路長が変わらないように、第１キャリッジ第２キャリッジとが２対１の相対速度で機械的に走査される。この光学走査系は、図示しないスキャナ駆動モータにて駆動される。
【００３０】
原稿移動の場合は、光学走査系は固定読取位置に移動して、原稿画像が読み取られる。どちらの場合においても原稿画像は、ＣＣＤセンサ５４によって読み取られ、電気信号に変換されて処理される。
【００３１】
書込ユニット５７は、レーザ出力ユニット５８、結像レンズ５９およびミラー６０で構成され、レーザ出力ユニット５８の内部には、レーザ光源であるレーザダイオードおよびモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体面上に集光結像する。偏光されたレーザ光は、感光体が回転する方向と直行する方向（主走査方向）に露光走査され、画像信号のライン単位の記録を行なう。感光体の回転速度と記録密度に対応した所定の周期で主走査を繰り返すことによって、感光体面上に画像（静電潜像）が形成される。
【００３２】
上述のように、書込ユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御および後述する画像信号の入出力を行なうための制御信号の生成を行なう。
【００３３】
図４は、操作部３０を示した図である。操作部３０には、液晶タッチパネル３１、テンキー３２、クリア／ストップキー３３、スタートキー３４、モードクリアキー３５、テスト印刷キー４０があり、液晶タッチパネル３１には、機能キー、部数、画像形成装置の状態を示すメッセージ等が表示される。テスト印刷キー４０は、設定されている印刷部数に関わらずに1部だけを印刷し、印刷結果を確認するためのキーである。また、コピー機能、蓄積コピー機能およびプリンタ機能を切り替える機能切換キー３９がある。ここで、コピー機能は、スキャナで読みとった画像を転写紙に指定された動作で複写する機能である。蓄積コピー機能は、スキャナで読みとった画像や、外部からの画像データを蓄積して、機械の操作でプリントできる機能である。プリンタ機能は、外部からＬＡＮ及びパラレルＩ/Ｆ等で接続され、外部からのプリント画像データとその指示を受けて、プリント出力する機能である。
【００３４】
図５〜８は、操作部３０の液晶タッチパネル３１の表示一例を示した図である。オペレータが液晶タッチパネル３１に表示されたキーにタッチすることで、選択された機能を示すキーが黒く反転する。また、例えば、変倍であれば変倍値等の機能の詳細を指定しなければならない場合は、キーにタッチすることで、詳細機能の設定画面が表示される。このように、液晶タッチパネルは、ドット表示器を使用している為、その時の最適な表示をグラフィカルに行なうことが可能である。
【００３５】
図５は、コピー機能を選択設定する画面で、図５において、左上は、「コピーできます」、「お待ちください」等のメッセージを表示するメッセージエリア、その右は、セットした枚数を表示するコピー枚数表示部、その下の画像濃度を自動的に調整する自動濃度キー、転写紙を自動的に選択する自動用紙選択キー、倍率を自動で設定する用紙指定変倍キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードと分割モードを設定する両面／分割キー、とじ代モード等を設定する消去／移動キー、スタンプや日付やページ等の印字を設定する印字キー、原稿の向きを設定する原稿上向きキーおよび原稿左向きキーである。選択されているモードはキーが網掛け表示されている。
【００３６】
図６は、プリンタ機能用の操作画面である。印刷要求の許可を設定するオンライン/オフラインキー、データイン状態で排出されていない画像を強制排出する強制排出キー、画像データのデータ入力状態を示すデータイン表示、転写紙のセット状況を知らせる表示がある。
【００３７】
図７は、スキャナからの蓄積動作を実行する画面である。各モード設定を行い、スタートキーにて読み込み動作が開始される。このファイルのユーザ名、ファイル名は、自動的に表示するように設定される。複数ある場合は、ファイル名を区別できるようにネーミングされる。読込終了キーで読み込み動作が終了しファイルが閉じられる。
【００３８】
次に、図２により、自動原稿送り装置２００による、原稿束ｓの搬送動作について説明する。
【００３９】
まず、読み取り対象の原稿束ｓを原稿セットテーブル２１０上に先端を原稿ストッパ２１４に突き当てた状態でセットし、さらに原稿束ｓの幅方向をサイドガイド２１１によって搬送方向と直交する方向の位置決めを行なう。
【００４０】
この状態で、原稿セット検知フィラが変位し、これに伴って原稿セットセンサ２１５の遮光が解除され、原稿のセットが検知される。さらに、原稿セットテーブル２１０に設けられた第１原稿長さセンサ２１２および第２原稿長さセンサ２１３により、原稿搬送方向の長さの概略が判定される。
【００４１】
図３は、原稿台に置かれたときの、原稿の長さ関係を表したものである。本実施の形態では２つのセンサを使用して長さ方向を検知しているが、さらにセンサを追加することで、方向の異なる原稿も区別がつくようにすることが可能である。
【００４２】
原稿セットテーブル上に原稿をどのような向きにセットしたかは、操作部上の原稿上向きキー、あるいは原稿左向きキーで設定する。通常は上向きであるため原稿上向きキーが設定された状態であるが、原稿左向きを設定することも可能である。
【００４３】
その後、スタート信号によりピックアップローラ２２０が駆動装置により原稿上面にセットされた後、所定の圧力で圧接され、さらに、所定時間後、分離給紙部およびレジスト部を駆動する駆動装置（給紙モータ）が作動し、ピックアップローラ２２０を時計方向に回転させて原稿束ｓの最上位の原稿を給紙ベルト２２３、分離ローラ２２６等の分離部方向へ搬送する。このとき、給紙ベルト２２３はベルトプーリ２２２、２２４に所定の張力をもって掛け渡されており、対抗的に設けられた分離ローラ２２６に巻きかけられるように圧接している。分離ローラ２２６は、所定の大きさのトルクを有するトルクリミッタを介してフリクション駆動されており、給紙ベルト２２３の回転に連れて反時計方向に回転させられ、原稿が万一、２枚以上、給紙ベルト２２３と分離ローラ２２６間に進入した場合は、連れ回り力がトルクリミッタのトルクよりも低くなるように設定されており、分離ローラ２２６は、本来の駆動方向である時計方向に回転し、余分な原稿を押し戻すように作用するので、重送が防止される。
【００４４】
給紙ベルト２２３と分離ローラ２２６との作用により、１枚ずつ分離された原稿は給紙ベルト２２３によってさらに搬送され、給紙経路中に進む過程で、突当センサ２２９によって先端が検知され、さらに搬送されて、停止しているレジストローラ２３０に突き当たる。その後、突当センサ２２９の検知から所定量定められた距離を搬送され、結果的にはレジストローラ２３０に所定量のたわみを持って押し当てられた状態で給紙ベルト２２３の駆動が停止する。このとき、原稿先端はレジストローラ２３０の上下ローラ対のニップ部に進入し、そのニップラインで先端の整合（突き当てスキュー補正）が行われる。
【００４５】
その後、レジストローラ２３０が駆動され、原稿を読取部の方向に搬送する。ここでは、原稿突き当て動作で停止した時間の遅れを取り戻すため、搬送速度を高速にして先端センサ２３４までこの高速度で搬送し、先端センサ２３４の検知により読取速度（読取搬送ローラ２４３の搬送速度）まで減速させる。この動作を連続する原稿間で行なうことにより、所定の原稿間隔を維持することができる。
【００４６】
また、レジストローラ２３０を過ぎた原稿先端は、サイズセンサ群２３２により搬送方向と直交する方向の幅が検知される。この幅信号と、第１原稿長さセンサ２１２および第２原稿長さセンサ２１３による長さ信号との組み合わせによって正確な原稿サイズが確定される。
【００４７】
その後、原稿は、読取搬送ローラ２４３と加圧ローラ２４１とのニップ部へ送られ、レジストセンサ２４０の検知によって停止し、作像側（図示しない読取部側）からの画像位置合わせ信号の入力を待つ。
【００４８】
作像側からの画像位置合わせ信号の入力によって再度搬送を開始し、読取搬送ローラ２４３と加圧ローラ２４１とにより第１読取搬送部３００に搬送される。この第１読取搬送部３００では、読取ガラス２５４およびその上面に所定の間隔をもって配置された白色背景板２５１の間を原稿が通過する間に、前記読取部により画像が読み取られ、ＣＣＤを介して光電変換されて、画像メモリに記憶される。
【００４９】
その後、中間搬送加圧コロ２５３によって第１読取搬送部３００から送り出された原稿は、第２読取搬送部３１０に送り出される。そして、その原稿は、原稿の裏面側上方でその読取面を下方に向けて配置された密着イメージセンサ（ＣＩＳ）２６１と、その密着イメージセンサ（ＣＩＳ）２６１の読み取り面に対向して、所定圧と所定の間隔を保って配置された押圧部材２６０との間を通過する。このとき、原稿の裏面に当たる上面の画像が読み取られ、表面（下面）と同様に光電変換されて前記メモリに記憶される。この際、押圧部材２６０はシェーディングの基準として作用するとともに、白色背景板としても利用される。
【００５０】
原稿搬送方向の長さ検知は、レジストセンサ２４０の位置で一旦停止した原稿が、再度搬送を開始した後、サイズセンサ群２３２がＯＦＦするまでの時間を測定することで、検知することが可能である。
【００５１】
即ち、用紙長さ＝搬送時間×搬送速度＋（レジストセンサ／サイズ原稿群距離）となる。さらに、原稿は排紙駆動ローラ２７１と排紙加圧ローラ２７２とにより、スタック部に排出される。このスタック部における排紙スタッカ２９０には、上流側よりも下流側が高くなるように傾斜面が設けられ、排出原稿の飛び出しを防止するとともにスタック原稿の揃え精度を向上させるように構成されている。
【００５２】
図９は、本実施の形態における、ディジタル複写機の画像読取ブロック図を示す。
【００５３】
ＣＣＤセンサ５４は、原稿画像の１ライン分の電気信号を奇数画素と偶数画素の２系統に分けて出力する。Ａ／Ｄ変換器５０３は、ＣＣＤセンサ５４アナログ出力をディジタル信号に変換する。
【００５４】
アナログ処理回路５０２は、ＣＣＤセンサ５４の２系統の出力信号を、各系統毎にクランプ、ゲイン調整及びサンプル・ホールドした後、スイッチング処理により１系統に統合して出力する。Ａ／Ｄ変換器５０３は、アナログ処理回路５０２のアナログ出力を、アナログ・スイッチ５０４からの基準電圧入力を基準にして、８ビットのディジタル信号に変換する。
【００５５】
ＡＥ回路５０５は、Ａ／Ｄ変換器５０３の基準電圧を制御して、原稿の地肌部分のＡ／Ｄ変換器出力を白レベル（ＦＦｈ（１６進数））に近づけるために設けられる。アナログ・スイッチ５０４は、アナログ処理回路５０２からの一定基準電圧と、ＡＥ回路５０５の出力電圧の一方を、制御信号に従って選択し、Ａ／Ｄ変換器５０３に基準電圧として印加する。なお、図示しない駆動信号発生回路が、ＣＣＤセンサ５４、アナログ処理回路５０２およびＡ／Ｄ変換器５０３に同期信号などライン単位の信号及び駆動クロックを供給する。
ＡＥ回路５０５は、Ａ／Ｄ変換器５０３の出力を基にＡ／Ｄ変換器５０３の基準電圧値を制御する。シェーディング補正回路５０６は、Ａ／Ｄ変換装置５０３の出力データに含まれる、主に光学系およびＣＣＤセンサ５４の各受光素子の感度ばらつきを、黒レベルおよびゲインについてディジタル的に補正する。その後、濃度変換部５０９に送られる。濃度変換部５０９では、入力された輝度データを濃度データに変換するためのＬＵＴが格納されており、入力されたデータに対応するテーブル値を出力することによって、輝度データを濃度データに変換する。濃度変換された画像データは一旦、画像メモリ５１０に蓄積される。
【００５６】
その後の原稿サイズ検知により、変倍率が確定されると、画像メモリ５１０に蓄積された画像データから変倍回路５１１により変倍された画像データが得られることになる。変倍された画像データは蓄積メモリに一旦入力され、その後印刷処理される。
【００５７】
密着イメージセンサ（ＣＩＳ）２６１からの画像信号も、同様の制御回路によって画像メモリ５１０に蓄積される。
【００５８】
次に、本実施の形態における見開き原稿分割について説明する。
【００５９】
図１２は、従来の見開き原稿分割の動作の説明図である。原稿台に置かれた見開き原稿を、２回の読取動作で読み取って左右ページに分割している。その際、原稿は、裏返して置かれるため、原稿左面は、読取時右面になるため、１回目の読み取りはスキャナホームポジションより遠い面から読み取られ、２回目で近い面が読み取られ、ページ順になるようにしている。従って、フラットベットタイプの自動原稿送り装置の場合は、同様の仕組みで分割機能を実現することができる。
【００６０】
しかし、原稿流し読みタイプの自動原稿送り装置を使用して、分割機能を実現する場合は、２度の読取り動作が必要になるため、原稿流し読みタイプの自動原稿送り装置の場合はそのままでは実現できないことになる。
【００６１】
そこで、本実施の形態における見開き原稿分割機能は、画像メモリ５１０に蓄積された画像データを分割出力することで実現する。
【００６２】
制御手段である図示しないＣＰＵ（Central Processing Unit）により、原稿画像は、ＣＣＤセンサ５４で、８ビットのディジタル信号に変換され、主走査１ライン分ずつ画像メモリに蓄積される。本実施の形態における複写装置は、読取解像度が６００ｄｐｉであるため、Ａ４サイズの原稿を原稿上向きでセットし、読取り動作を実行した場合は、主走査長さは２１０ｍｍであるため、４９６１バイト毎にメモリアドレスの０番地から蓄積され、副走査２９７ｍｍで、７０１６ライン分のデータが蓄積される。
【００６３】
左ページの場合は、先頭から３５０８ライン分が相当し、残りが右ページとなる。即ち、右ページ読取りの場合は、画像メモリ５１０に蓄積されたデータを出力する。
【００６４】
また、原稿台上にセットした見開き原稿の読取りの場合も同様に実現できる。すなわち、１度の読取りで、原稿画像を画像メモリ５１０に蓄積し、２回目の読取り動作は実行せずに、１度目の読取り動作で画像メモリ５１０に蓄積された右ページの原稿画像を出力すれば良い。
【００６５】
但し、第２図に示す原稿を自動原稿送り装置２００で読む場合と、原稿台上で読む場合では、読取り順が変わる。自動原稿送り装置２００で表面を読む場合は、「左ページ→右ページ」の順になるが、原稿台で読む場合と自動原稿送り装置２００で裏面を読む場合は「右ページ→左ページ」の順になることである。
【００６６】
以上は原稿を上向きにセットした場合の処理であるが、図４に示す、原稿セット方向指示部３６により、原稿の読取向きを変更した場合の処理について説明する。
【００６７】
上記と同様にＡ４原稿を左向きでセットし、読取り動作を実行した場合は、主走査長さ２９７ｍｍで７０１６バイト毎にメモリアドレスの０番地から蓄積され、副走査２１０ｍｍで、４９６１ライン分のデータが画像メモリ５１０蓄積されることになるが、分割出力する場合は、前記と異なり、３５０８バイトで次ラインの先頭に戻ることで実現する。この原稿セットの状態を図１０および図１１に示す。
【００６８】
図１０が、原稿上向きの場合で、図１１が、原稿左向きの場合である。主走査方向は、原稿上向きの場合は、短辺側で、原稿左向きの場合は長編側になるため、画像メモリへの入力画像が変わることになる。そのため、上述したように、原稿左向きの場合は、画像メモリの途中でメモリアドレスを変更することで、画像分割を実現する。
【００６９】
なお、上述する実施の形態は、本発明の好適な実施の形態であり、本発明の要旨を逸脱しない範囲内において種々変更実施が可能である。例えば、上記の複写装置における処理動作の全部または一部を実行するためのプログラムも本発明に含まれる。
【図面の簡単な説明】
【００７０】
【図１】本発明の実施形態における複写装置の構成図である。
【図２】本発明の実施形態における自動原稿送り装置の構成図である。
【図３】原稿台に置かれた原稿の長さの関係を示す図である。
【図４】本発明の実施形態における複写装置の操作部の構成図である。
【図５】操作部の液晶タッチパネルの表示一例を示した図である。
【図６】操作部の液晶タッチパネルの表示一例を示した図である。
【図７】操作部の液晶タッチパネルの表示一例を示した図である。
【図８】操作部の液晶タッチパネルの表示一例を示した図である。
【図９】本発明の実施形態におけるディジタル複写機の画像読取ブロック図である。
【図１０】上向きの原稿セットの状態を示す図である。
【図１１】左向きの原稿セットの状態を示す図である。
【図１２】従来の見開き原稿分割の動作を示す図である。
【符号の説明】
【００７１】
６    コンタクトガラス
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
２７    現像ユニット
５０    読取ユニット
５１    露光ランプ
５２    第１ミラー
５３    レンズ
５４    ＣＣＤセンサ
５５    第２ミラー
５６    第３ミラー
５７    書込ユニット
５８    レーザ出力ユニット
５９    結像レンズ
６０    ミラー
１００    フィニッシャ
１０１    切替板
１０２    通常排紙ローラ
１０３    搬送ローラ
１０４    通常排紙トレイ
１０５    搬送ローラ
１０６    ステープラ
１０７    排紙ローラ
１０８    ステープル台
１０９    ジョガー
１１０    ステープル完了排紙トレイ
１１１    両面給紙ユニット
１１２    分岐爪
２００    自動原稿送り装置
【図１】
2006086600.tif 000003
【図２】
2006086600.tif 000004
【図３】
2006086600.tif 000005
【図４】
2006086600.tif 000006
【図５】
2006086600.tif 000007
【図６】
2006086600.tif 000008
【図７】
2006086600.tif 000009
【図８】
2006086600.tif 000010
【図９】
2006086600.tif 000011
【図１０】
2006086600.tif 000012
【図１１】
2006086600.tif 000013
【図１２】
2006086600.tif 000014